(57)【要約】      （修正有）【課題】釣りエサを刺して保持する保持針に刺された釣りエサが保持針に対してずれることを制限するための釣りエサの固定具を提供する。【解決手段】釣りエサ３０１の、保持針に対する移動を制限するための固定具であって、保持針に取り付けられた錘５５に直接又は間接に取り付けられる取付部１３と、保持針に刺された釣りエサのうち保持針が貫通している部分である貫通部分に、保持針に対して釣りエサが抜け落ちる方向である脱落方向に対して貫通部分の外面から横方向に突き刺さる突き刺し部１５と、取付部１３と突き刺し部１５とを連結し、取付部１３と突き刺し部１５との脱落方向に沿った距離が増加することを規制する連結部１７と、を備えてなる、釣りエサの固定具である。【選択図】図６
0003196210.tif 000002
【実用新案登録請求の範囲】
【請求項１】
釣りエサを刺して保持する保持針に刺された釣りエサの、保持針に対する移動を制限するための釣りエサの固定具であって、
保持針に取り付けられた錘に直接又は間接に取り付けられる取付部と、
保持針に刺された釣りエサのうち保持針が貫通している部分である貫通部分に、保持針に対して釣りエサが抜け落ちる方向である脱落方向に対して貫通部分の外面から横方向に突き刺さる突き刺し部と、
取付部と突き刺し部とを連結し、取付部と突き刺し部との脱落方向に沿った距離が増加することを規制する連結部と、
を備えてなる、釣りエサの固定具。
【請求項２】
連結部が、取付部と突き刺し部との相対的位置を保った状態において、基端に取り付けられた取付部と先端に取り付けられた突き刺し部とを連結する連結棒を含んでなり、
突き刺し部が、連結棒の該先端に基端が取り付けられた突き刺し棒を有するものである、請求項１に記載の釣りエサの固定具。
【請求項３】
突き刺し棒が、突き刺し棒の基端から先端までのいずれかの部分の先端側の位置である先端側位置から、連結棒の基端及び先端とを結ぶ直線である連結直線に下ろした垂線の足である先端側足が、該いずれかの部分の基端側の位置である基端側位置から連結直線に下ろした垂線の足である基端側足よりも連結棒の基端に近い該いずれかの部分である抜留部分を含む、請求項２に記載の釣りエサの固定具。
【請求項４】
突き刺し棒が、突き刺し棒の基端を含む真っ直ぐな基端側部と、突き刺し棒の先端を含む真っ直ぐな先端側部と、を含んでなり、
先端側部が抜留部分である、請求項３に記載の釣りエサの固定具。
【請求項５】
取付部が、錘が有する環状部分に係合する環状をなす線材又は該環状部分に係合する環状に塑性変形しうる線材により構成されているものである、請求項２乃至４のいずれか１に記載の釣りエサの固定具。
【請求項６】
環状部分に係合する環状に塑性変形しうる前記線材が、環状の一部が分断された形状を有するものである、請求項５に記載の釣りエサの固定具。
【請求項７】
取付部を形成する前記線材と連結棒と突き刺し棒とが１の線材により一体に形成されているものである、請求項５又は６に記載の釣りエサの固定具。
【請求項８】
請求項１乃至７のいずれか１に記載の釣りエサの固定具と、前記保持針と、前記錘と、を含んでなる、釣り用仕掛け。
【考案の詳細な説明】
【技術分野】
【０００１】
本考案は、釣りエサの固定具に関し、より詳細には、釣りエサを刺して保持する保持針に刺された釣りエサが保持針に対してずれる（意図しない移動）ことを制限（防止又は減少）するための釣りエサの固定具に関する。
【背景技術】
【０００２】
図１は、従来から用いられてきた保持針を含む釣り用仕掛けの例を示すものである。図１を参照して、従来から用いられている釣り用仕掛けの例を説明する。
図１（ａ）は、釣り糸５１の先端側にスイベル５３を介して取り付けられた錘５５（スイベル５３は、釣り糸５１の先端近傍と、錘本体５５ｃに取り付けられた環状取付部５５ａと、を回転自在に連結する。）と、基端が錘５５に取り付けられた主釣針６１（親針と呼ばれることがある）と、錘５５（錘本体５５ｃに取り付けられた環状取付部５５ｂ）に基端側が取り付けられた副釣針連結糸７１と、副釣針連結糸７１の先端側に取り付けられた副釣針７３（孫針と呼ばれることがある）と、を備えてなる釣り用仕掛けを示している。かかる図１（ａ）に示された釣り用仕掛けは、テンヤ（錘と釣針が一体化されているもの）と呼ばれるもののうち、カブラ（釣針の基端に錘が直接取り付けられているもの）とも呼ばれるものである。この図１（ａ）の釣り用仕掛けは、図２（ａ）に示すように、主釣針６１に釣りエサ３０１（ここでは生のエビ）を刺すことで固定すると共に釣りエサ３０１に副釣針７３を刺して水中に配置することで、該水中に存する魚（不図示）が釣りエサ３０１に食いつき主釣針６１及び／又は副釣針７３が該魚に刺さることで魚を釣り上げることができるものである。即ち、ここでは主釣針６１が、釣りエサ３０１を刺して保持する保持針に該当する。
【０００３】
図１（ｂ）は、釣り糸１５１の先端側に取り付けられた錘１５５（錘本体１５５ｃに取り付けられた環状取付部１５５ａに釣り糸１５１は直接結びつけられている。）と、基端が錘１５５に取り付けられた釣針１６１と、を備えてなる釣り用仕掛け（ジグヘッドと呼ばれる）を示している。かかる図１（ｂ）に示された釣り用仕掛けは、図３（ａ）に示すように、釣針１６１に釣りエサ３０３（ここではワームと呼ばれる擬似餌）を刺すことで固定し水中に配置（釣りエサ３０３を動かすことで魚の興味を引く）することで、該水中に存する魚（不図示）が釣りエサ３０３に食いつき釣針１６１が該魚に刺さることで魚を釣り上げることができるものである。即ち、ここでは釣針１６１が、釣りエサ３０３を刺して保持する保持針に該当する。
【０００４】
図１（ｃ）は、釣り糸２５１の先端側に取り付けられた錘２５５（錘本体２５５ｃに取り付けられた環状取付部２５５ａに釣り糸２５１は直接結びつけられている。）と、基端が錘２５５に取り付けられたエサ保持針２６３と、錘２５５に取り付けられた釣針２６５（錘本体２５５ｃに取り付けられた環状取付部２５５ｂに取り付けられている）と、を備えてなる釣り用仕掛け（ジグヘッドと呼ばれる）を示している。かかる図１（ｃ）に示された釣り用仕掛けは、図４（ａ）に示すように、エサ保持針２６３に釣りエサ３０５（ここではワームと呼ばれる擬似餌）を刺すことで固定し水中に配置（釣りエサ３０５を動かすことで魚の興味を引く）することで、該水中に存する魚（不図示）が釣りエサ３０５に食いつき釣針２６５が該魚に刺さることで魚を釣り上げることができるものである。即ち、ここではエサ保持針２６３が、釣りエサ３０５を刺して保持する保持針に該当する。
【０００５】
このように魚釣りにおいては、水中に存する魚が釣りエサに食いついたり、興味を示して近寄ってこなければ釣り上げることはできないものであるので、釣りエサが所定位置に配置された状態（例えば、上述の例では、図２（ａ）のように主釣針６１に釣りエサ３０１が所定位置にて刺さった状態、図３（ａ）のように釣針１６１に釣りエサ３０３が所定位置にて刺さった状態、図４（ａ）のようにエサ保持針２６３に釣りエサ３０５が所定位置にて刺さった状態）を保持することが極めて重要である。
例えば、図２（ａ）のように主釣針６１に釣りエサ３０１が所定位置にて刺さった状態においては、釣りエサ３０１たるエビが水中にて泳いでいる姿勢に近いため、水中にいる魚（不図示）が不自然さを感じることなく釣りエサ３０１に食いつくことで効果的に魚を釣り上げることができる。しかしながら、図２（ｂ）に示すように、主釣針６１に取り付けられた釣りエサ３０１が主釣針６１に対してずれる（意図しない移動）と、釣りエサ３０１たるエビの姿勢が不自然となることで水中にいる魚（不図示）が（違和感を感じる等して）釣りエサ３０１に食いつかなくなって魚が釣れなくなってしまう。
同様に、図３（ａ）のように釣針１６１に釣りエサ３０３が所定位置にて刺さった状態においては、釣りエサ３０３たるワームが水中にて泳いでいる姿勢（例えば、イソメ等が泳いでいる姿勢）に近いため、水中にいる魚（不図示）が不自然さを感じることなく釣りエサ３０３に食いつくことで効果的に魚を釣り上げることができる。しかしながら、図３（ｂ）に示すように、釣針１６１に取り付けられた釣りエサ３０３が釣針１６１に対してずれる（意図しない移動）と、釣りエサ３０３たるワームの姿勢が不自然となることで水中にいる魚（不図示）が（違和感を感じる等して）釣りエサ３０３に食いつかなくなって魚が釣れなくなってしまう。
また、図４（ａ）のようにエサ保持針２６３に釣りエサ３０５が所定位置にて刺さった状態においては、釣りエサ３０５たるワームが水中にて泳いでいる姿勢（例えば、ユムシ等が泳いでいる姿勢）に近いため、水中にいる魚（不図示）が不自然さを感じることなく釣りエサ３０５に食いつくことで効果的に魚を釣り上げることができる。しかしながら、図４（ｂ）に示すように、エサ保持針２６３に取り付けられた釣りエサ３０５がエサ保持針２６３に対してずれる（意図しない移動）と、最終的には釣りエサ３０５がエサ保持針２６３から脱落することで水中にいる魚（不図示）が釣れなくなってしまう。なお、エサ保持針２６３は、釣りエサ３０５のずれ（意図しない移動）を防止するために凸部２６３ｄを有しているが、かかる凸部２６３ｄによる釣りエサ３０５のズレ防止効果は十分ではない。
【０００６】
このように釣りエサが保持針（上述の例では、主釣針６１、釣針１６１、エサ保持針２６３）に対して所定位置に配置された状態を保持するために様々な提案がなされている（例えば、特許文献１参照）。
特許文献１には、「餌を針へ通し易くしたり保持し易くする」（特許文献１、発明の詳細な説明中、段落番号０００５）等のためになされたもので、具体的にその釣針は、「チモト部を上端に有する軸部に続いて前方に湾曲する湾曲部を備え、その先端に鋭利に突出する針先とその内奥にカエシを有する針先部を備えた釣針において、前記湾曲部の内側の面と外側の面がほぼ平坦になるように形成されており、少なくとも湾曲部の外側の面には補強部が設けられていることを特徴とするもの」（特許文献１、発明の詳細な説明中、段落番号０００６）が開示されており、それによって「湾曲部の内側の面が平坦になるように形成されているから、針先から通した餌が湾曲部の内側の面の平坦面に接するため外れにくい。」（特許文献１、発明の詳細な説明中、段落番号０００８）というものである。
【先行技術文献】
【特許文献】
【０００７】
【特許文献１】特開２００４−１２１２０４号公報（例えば、要約、段落番号０００４〜０００８、第１図等）
【考案の概要】
【考案が解決しようとする課題】
【０００８】
確かに、このような特許文献１の釣針（保持針として機能する）においては、上述の如く、湾曲部の内側の面が平坦になるように形成されているから、針先から通した餌が湾曲部の内側の面の平坦面に接するため外れにくいが、針先から通した餌が湾曲部の内側の面の平坦面を滑って不意に移動（ずれる）するし、さらに釣針から脱落しうる。
そこで、本考案では、釣りエサを刺して保持する保持針に刺された釣りエサが保持針に対してずれる（意図しない移動）ことを制限（防止又は減少）するための手段を提供することを目的とする。
【課題を解決するための手段】
【０００９】
本考案の考案者らは、上記の課題を解決するため鋭意研究を重ねた結果、保持針に刺された釣りエサが保持針に対して移動することを制限する釣りエサの固定具により上記課題を解決できることを見出し本考案を完成するに至った。
即ち、本考案の釣りエサの固定具（以下、「本固定具」という。）は、釣りエサを刺して保持する保持針に刺された釣りエサの、保持針に対する移動を制限するための釣りエサの固定具であって、保持針に取り付けられた錘に直接又は間接に取り付けられる取付部と、保持針に刺された釣りエサのうち保持針が貫通している部分である貫通部分に、保持針に対して釣りエサが抜け落ちる方向である脱落方向に対して貫通部分の外面から横方向に突き刺さる突き刺し部と、取付部と突き刺し部とを連結し、取付部と突き刺し部との脱落方向に沿った距離が増加することを規制する連結部と、を備えてなる、釣りエサの固定具である。
【００１０】
本固定具は、釣りエサを刺して保持する保持針に刺された釣りエサが、該保持針に対して移動することを制限（防止又は減少）するための釣りエサの固定具である。ここに「釣りエサ」とは、天然のエサ（例えば、活き餌（活きエビ、活きゴカイ類、活き貝、活きユムシ、活き魚等）、既に死んでいる動物の一部又は全部（イカの切り身、魚の切り身、死んでいる魚、死んでいるイカ、貝のむき身等）、植物（スイカ等）等を含む。）及び擬似餌（例えば、ルアー、ソフトルアー（ワーム等）等を含む。）とを含むものである。
本固定具は、取付部と突き刺し部と連結部とを備えてなる。
取付部は、保持針に取り付けられた錘に直接又は間接に取り付けられる（「間接」とは、錘に何らかの物を介して取り付けられることをいう。）。
突き刺し部は、貫通部分に貫通部分の外面から脱落方向に対して横方向に突き刺さる。ここに脱落方向とは、保持針に対して釣りエサが抜け落ちる方向であり、詳細には、釣りエサが保持針の先端（釣りエサが保持針に刺される際に釣りエサが刺される保持針の端）側から抜け落ちる際、保持針の基端から先端に向かうそれぞれの部分に対して釣りエサが移動する方向をいう。また貫通部分とは、保持針に刺された釣りエサのうち保持針が貫通している部分であり、詳細には、保持針の基端から先端に向かうそれぞれの部分のうち、該部分の周囲全部が釣りエサにより取り囲まれた部分である包囲部分がのびる方向（保持針のうち該包囲部分よりも先端側の部分に該包囲部分がつながっている部分と、保持針のうち該包囲部分よりも基端側の部分に該包囲部分がつながっている部分と、を結んだ方向）に対して垂直な面に属する保持針周囲の釣りエサの部分をいう。また、「脱落方向に対して横方向に突き刺さる」とは、脱落方向に対して突き刺さる方向がなす角度（突き刺さる方向と平行な直線と、脱落方向と平行な直線と、の両直線のうち一方が他方に交わるように平行移動させた際、平行移動された該一方と該他方とがなす角度であり、突き刺さる方向が脱落方向と同じ方向を０度とし、突き刺さる方向が脱落方向と逆方向を１８０度とする。また、突き刺さる方向は、釣りエサに突き刺さる基端側部分と、釣りエサに突き刺さる先端部分と、を結んだ方向をいう。）が３０度以上であることをいい、好ましくは４５度以上、より好ましくは６０度以上、最も好ましくは８０度以上である（上限としては、好ましくは１６０度以下、より好ましくは１３５度以下、最も好ましくは１２０度以下である）。
連結部は、取付部と突き刺し部とを連結すると共に、取付部と突き刺し部との脱落方向に沿った距離が増加することを規制する。なお「脱落方向に沿った距離」とは、保持針に沿った曲線（保持針の基端から先端に向かうそれぞれの部分の重心位置を連ねた曲線であり、直線を含む。）に取付部から下ろした垂線の足と、該曲線に突き刺し部から下ろした垂線の足と、の間の該曲線に沿った長さをいう。そして、「距離が増加することを規制する」とは、該距離が所定以上に増加することを禁止することのみならず、該距離が所定以上に増加しようとすると抵抗を生じることも含む。
かかる本固定具においては、取付部が錘（保持針に取り付けられる）に取り付けられると共に、突き刺し部が脱落方向に対して横方向に釣りエサの貫通部分に貫通部分外面から突き刺さり、そして連結部が、取付部と突き刺し部との脱落方向に沿った距離が増加することを規制するので、釣りエサが保持針の先端側から抜け落ちる方向に移動すること（該移動に伴って、取付部と突き刺し部との脱落方向に沿った距離が増加する）を防止又は減少させることができる。即ち、本固定具によれば、釣りエサを刺して保持する保持針に刺された釣りエサが保持針に対してずれる（意図しない移動）ことを制限（防止又は減少）することができる。
【００１１】
本固定具においては、連結部が、取付部と突き刺し部との相対的位置を保った状態において、基端に取り付けられた取付部と先端に取り付けられた突き刺し部とを連結する連結棒を含んでなり、突き刺し部が、連結棒の該先端に基端が取り付けられた突き刺し棒を有するもの（以下、「突き刺し棒本固定具」という。）であってもよい。
こうすることで連結部が連結棒を含んでなり、連結棒が、連結棒の基端に取り付けられた取付部と、連結棒の先端に取り付けられた突き刺し部と、を連結する。連結棒は、取付部と突き刺し部との相対的位置を保持した状態で取付部と突き刺し部とを連結する（即ち、連結棒は該相対的位置を保つ程度の強度及び剛性を有する。）。そして、突き刺し部は突き刺し棒を有し、突き刺し棒の基端が連結棒の先端に取り付けられる。このため釣りエサが保持針の先端側から抜け落ちる方向に移動しようとしても、突き刺し棒が脱落方向に対して横方向に釣りエサの貫通部分に突き刺さった状態が保持されるので、釣りエサが保持針の先端側から抜け落ちる方向に移動することを効果的に防止又は減少させることができる。
【００１２】
突き刺し棒本固定具においては、突き刺し棒が、突き刺し棒の基端から先端までのいずれかの部分の先端側の位置である先端側位置から、連結棒の基端及び先端とを結ぶ直線である連結直線に下ろした垂線の足である先端側足が、該いずれかの部分の基端側の位置である基端側位置から連結直線に下ろした垂線の足である基端側足よりも連結棒の基端に近い該いずれかの部分である抜留部分を含むもの（以下、「抜留本固定具」という。）であってもよい。
こうすることで突き刺し棒が抜留部分を含む。抜留部分は、突き刺し棒の基端（連結棒の先端に取り付けられる）から先端までのいずれかの部分であり、該いずれかの部分の先端側の位置である先端側位置から連結直線（連結棒の基端及び先端とを結ぶ直線）に下ろした垂線の足である先端側足が、該いずれかの部分の基端側の位置である基端側位置から連結直線に下ろした垂線の足である基端側足よりも連結棒の基端に近くなる該いずれかの部分をいう。このような抜留部分を突き刺し棒が含むことで、釣りエサが保持針の先端側から抜け落ちる方向に移動しようとすると釣りエサから突き刺し棒が抜けることを抜留部分が防止又は減少することができ（釣りエサが保持針の先端側から抜け落ちる方向に移動する際に釣りエサから突き刺し棒が抜けようとすれば、抜留部分については釣りエサが該抜け落ちる方向とは逆方向に移動することを要する。）、釣りエサが保持針の先端側から抜け落ちる方向に移動することを一層効果的に防止又は減少させることができる。
【００１３】
抜留本固定具においては、突き刺し棒が、突き刺し棒の基端を含む真っ直ぐな基端側部と、突き刺し棒の先端を含む真っ直ぐな先端側部と、を含んでなり、先端側部が抜留部分であってもよい。
こうすることで汎用される真っ直ぐな線材（棒材を含む）を１カ所（基端側部と先端側部との境界）曲げることで抜留部分を有する突き刺し棒を容易に形成できるので、本固定具を簡単に構成でき本固定具を安価に製造できる。加えて、突き刺し棒の先端を含む先端側部が抜留部分を構成するので、釣りエサから突き刺し棒が抜けようとすると、釣りエサが抜留部分を必ず通過するので釣りエサから突き刺し棒が抜けることを効果的に防止又は減少させることができる。
【００１４】
突き刺し棒本固定具においては、取付部が、錘が有する環状部分に係合する環状をなす線材又は該環状部分に係合する環状に塑性変形しうる線材により構成されているもの（以下、「線材取付部本固定具」という。）であってもよい。
突き刺し棒本固定具においては、連結部が連結棒を含むと共に突き刺し部が突き刺し棒を含むものであるので、取付部も線材（棒材を含む）により形成されるようにすれば、連結部、突き刺し部及び取付部のいずれも汎用される線材（棒材を含む）によって形成できるので、本固定具を簡単に構成でき本固定具を安価に製造できる。そして、保持針に取り付けられた錘は、釣り糸を結びつけたり釣針を取り付けたり等するために環状部分（アイ（通常は金属製の輪）と呼ばれることもある）を有することが多い。このため取付部を形成する線材（棒材を含む）が、錘が有する環状部分に係合する環状をなす線材又は該環状部分に係合する環状に塑性変形しうる線材（例えば、鋼、銅、アルミニウム等の金属材料により形成された線材等）とすれば、取付部を錘に容易に取り付けることができ、本固定具の使用を便ならしめる。
【００１５】
線材取付部本固定具においては、環状部分に係合する環状に塑性変形しうる前記線材が、環状の一部が分断された形状を有するものであってもよい。
このように取付部を構成する線材（棒材を含む）が、環状部分に係合する環状に塑性変形しうる線材であれば、環状の一部が分断された形状（例えば、アルファベットの「Ｃ」に似た形状）を有するようにすれば、錘が有する環状部分（アイ（通常は金属製の輪）と呼ばれることもある）に、該分断された端部を通した後、環状の一部が分断された形状を環状に塑性変形させることで取付部を錘に一層容易に取り付けることができる。
【００１６】
線材取付部本固定具においては、取付部を形成する前記線材と連結棒と突き刺し棒とが１の線材により一体に形成されているものであってもよい。
こうすることで連結部、突き刺し部及び取付部の全部が汎用される１の線材（棒材を含む）により一体に形成（例えば、該１の線材を折り曲げることで形成することもできる）できるので、本固定具を一層簡単に構成でき本固定具を安価に製造できる。
【００１７】
本考案は釣り用仕掛けも提供する。
即ち、該釣り用仕掛けは、本固定具と、前記保持針と、前記錘と、を含んでなる、釣り用仕掛けである。
このような本固定具と前記保持針と前記錘とを含んでなる釣り用仕掛けとすることで、迅速かつ容易に釣に供することができ便利である。
なお、ここにいう釣り用仕掛けには、テンヤ仕掛け（錘と釣針が一体化されているもの）やカブラ仕掛け（釣針の基端に錘が直接取り付けられているもの）を含む。
【図面の簡単な説明】
【００１８】
【図１】従来から用いられてきた保持針を含む釣り用仕掛けの例を示す図である。
【図２】図１（ａ）の釣り用仕掛けに釣りエサを取り付けたところを示す図である。
【図３】図１（ｂ）の釣り用仕掛けに釣りエサを取り付けたところを示す図である。
【図４】図１（ｃ）の釣り用仕掛けに釣りエサを取り付けたところを示す図である。
【図５】本考案の一実施形態の固定具（本固定具）を示す図である。
【図６】本固定具の第１の使用方法について説明する図である。
【図７】本固定具の第２及び第３の使用方法について説明する図である。
【考案を実施するための形態】
【００１９】
本考案の実施の形態を図面を参照して詳述するが、本考案はこれに限定されるものではない。
【００２０】
図５は、本考案の一実施形態の固定具（本固定具）１１を示す図である。図５を参照して、本固定具１１について説明する。
本固定具１１は、ここでは鋼製の１本の細い線材（直径約０．６ｍｍの円形断面を有する丸材）により一体に形成されており、大まかには、錘（不図示）に直接又は間接に取り付けられる取付部１３と、釣りエサ（不図示）に突き刺される突き刺し棒１５と、取付部１３と突き刺し棒１５とを連結する連結棒１７と、を備えてなる。
【００２１】
取付部１３は、一端１３ａが連結棒１７の一端１７ａに連なっており、他端１３ｂと一端１３ａとの間は円弧に略沿った形状を有している。他端１３ｂと連結棒１７との間には隙間１４が形成されており、該円弧が一部をなす円周の内部１２は隙間１４が形成された部分を除いて取付部１３によって取り囲まれている。
連結棒１７は、線分（前記円弧が一部をなす円周の接線と該円周との接点により該接線が２の部分に分割された一方）に略沿った真っ直ぐな形状を有している。
突き刺し棒１５は、基端１５ａが連結棒１７の他端１７ｂに連なっており、連結棒１７に対して所定の角度Ｄ（ここでは約９０度）をなす方向に突出するように形成されている。突き刺し棒１５は、基端１５ａから線分に沿って真っ直ぐにのびる基端側部分１５ｃ１（連結棒１７に対して角度Ｄをなす）と、基端側部分１５ｃ１の先端に折れ曲がるように形成された先端側部分１５ｃ２（線分に沿った真っ直ぐな形状を有する。）と、を有してなる。基端側部分１５ｃ１に対して先端側部分１５ｃ２が折れ曲がる角度Ｅは約４０度である。
【００２２】
取付部１３と突き刺し棒１５と連結棒１７とは一平面（図５は該一平面に対して垂直な方向から本固定具１１を見たところを示している。）に略属するように形成されると共に、先端側部分１５ｃ２は基端側部分１５ｃ１に対して取付部１３側に折れ曲がっている（折曲角度Ｅ）。
そして、図５（ｂ）に示すように、取付部１３に力を加えて塑性変形させることで、他端１３ｂを連結棒１７に接触させることで隙間１４を消失させて内部１２を閉じたものとすることができる。なお、取付部１３はここで示したようなものである必要は必ずしもなく、後述のように錘（例えば、錘が有する環状取付部）に取り付けることができるものであればよく、両端部が互いに重なりあったリング状のもの（この重なり合いの両端部を引き離しつつ環状取付部に取り付ける）やフック等のようなものであってもよい。
【００２３】
次いで、本固定具１１の第１の使用方法について図６を参照して説明する。図６（ａ）は、図２（ａ）の状態に本固定具１１を使用したところを示す図であり、図６（ｂ）は図６（ａ）の矢印Ａにて指した部分の拡大図である。
まず、本固定具１１の取付部１３を環状取付部５５ｂに取り付ける（具体的には、環状取付部５５ｂに隙間１４を利用して取付部１３を通した後、取付部１３に力を加え他端１３ｂを連結棒１７に接触させることで隙間１４を消失させて内部１２を閉じる。）。
そして、図２（ａ）と同様、釣りエサ３０１たるエビを主釣針６１に刺して取り付ける。
その後、本固定具１１の突き刺し棒１５を釣りエサ３０１に突き刺す。そして、副釣針７３を釣りエサ３０１に突き刺して図６のように釣りエサ３０１を取り付けることができる。なお、本固定具１１の環状取付部５５ｂへの取付作業、釣りエサ３０１の主釣針６１への取付作業、副釣針７３の釣りエサ３０１への突き刺し作業のそれぞれの作業は、順番を適宜変更してもよい。
【００２４】
このように図６のように取り付けられた釣りエサ３０１は、本固定具１１によって錘５５（本固定具１１の取付部１３が取り付けられた環状取付部５５ｂ）から遠ざかることが制限されるので、図２（ｂ）のように釣りエサ３０１が主釣針６１に対してずれる（意図しない移動）ことを防止又は減少させることができる。このため釣りエサ３０１が常に好ましい所定位置にて主釣針６１に刺さった状態が保持され、水中にいる魚（不図示）が不自然さを感じることなく釣りエサ３０１を食べることで効果的に魚を釣り上げることができる。
また、突き刺し棒１５を釣りエサ３０１に突き刺した状態において、先端側部分１５ｃ２が基端側部分１５ｃ１に対して取付部１３側に折れ曲がっているので、突き刺し棒１５が釣りエサ３０１から不意に抜けることを防止し、上述の釣りエサ３０１が好ましい所定位置にて主釣針６１に刺さった状態を確実に保持することができる。
【００２５】
本固定具１１の第２の使用方法について図７（ａ）を参照して説明する。図７（ａ）は、図３（ａ）の状態に本固定具１１を使用したところを示す図である。
まず、本固定具１１の取付部１３を環状取付部１５５ａに取り付ける（具体的には、環状取付部１５５ａに隙間１４を利用して取付部１３を通した後、取付部１３に力を加え他端１３ｂを連結棒１７に接触させることで隙間１４を消失させて内部１２を閉じる。）。
そして、図３（ａ）と同様、釣りエサ３０３を釣針１６１に刺して取り付ける。
その後、本固定具１１の突き刺し棒１５を釣りエサ３０３に突き刺す。また、ここでは先端側部分１５ｃ２が釣りエサ３０３から突出するようにしているが、これにより先端側部分１５ｃ２が基端側部分１５ｃ１に対して取付部１３側に折れ曲がっているので、突き刺し棒１５が釣りエサ３０３から不意に抜けることを効果的に防止し釣りエサ３０３が好ましい所定位置にて釣針１６１に刺さった状態を確実に保持することができる。
なお、本固定具１１の環状取付部１５５ａへの取付作業と釣りエサ３０３の釣針１６１への取付作業とは順番を変更してもよい。
【００２６】
このように図７（ａ）のように取り付けられた釣りエサ３０３は、本固定具１１によって錘１５５（本固定具１１の取付部１３が取り付けられた環状取付部１５５ａ）から遠ざかることが制限されるので、図３（ｂ）のように釣りエサ３０３が釣針１６１に対してずれる（意図しない移動）ことを防止又は減少させることができる。このため釣りエサ３０３が常に好ましい所定位置にて釣針１６１に刺さった状態が保持され、水中にいる魚（不図示）が不自然さを感じることなく釣りエサ３０３に食いつくことで効果的に魚を釣り上げることができる。
【００２７】
本固定具１１の第３の使用方法について図７（ｂ）を参照して説明する。図７（ｂ）は、図４（ａ）の状態に本固定具１１を使用したところを示す図である。
まず、本固定具１１の取付部１３を環状取付部２５５ａに取り付ける（具体的には、環状取付部２５５ａに隙間１４を利用して取付部１３を通した後、取付部１３に力を加え他端１３ｂを連結棒１７に接触させることで隙間１４を消失させて内部１２を閉じる。）。
そして、図４（ａ）と同様、釣りエサ３０５をエサ保持針２６３に刺して取り付ける。
その後、本固定具１１の突き刺し棒１５を釣りエサ３０５に突き刺す。また、ここでは先端側部分１５ｃ２が釣りエサ３０５から突出するようにしているが、これにより先端側部分１５ｃ２が基端側部分１５ｃ１に対して取付部１３側に折れ曲がっているので、突き刺し棒１５が釣りエサ３０５から不意に抜けることを効果的に防止し釣りエサ３０５が好ましい所定位置にてエサ保持針２６３に刺さった状態を確実に保持することができる。
なお、本固定具１１の環状取付部２５５ａへの取付作業と釣りエサ３０５のエサ保持針２６３への取付作業とは順番を変更してもよい。
【００２８】
このように図７（ｂ）のように取り付けられた釣りエサ３０５は、本固定具１１によって錘２５５（本固定具１１の取付部１３が取り付けられた環状取付部２５５ａ）から遠ざかることが制限されるので、図４（ｂ）のように釣りエサ３０５がエサ保持針２６３に対してずれる（意図しない移動）ことを防止又は減少させることができる。このため釣りエサ３０５が常に好ましい所定位置にてエサ保持針２６３に刺さった状態が保持され、釣りエサ３０５が失われることもなく、水中にいる魚（不図示）が不自然さを感じることなく釣りエサ３０５に食いつくことで効果的に魚を釣り上げることができる。
【００２９】
以上の通り、本固定具１１は、釣りエサ３０１、３０３、３０５を刺して保持する保持針（主釣針６１、釣針１６１、エサ保持針２６３）に刺された釣りエサ３０１、３０３、３０５の、保持針（主釣針６１、釣針１６１、エサ保持針２６３）に対する移動を制限するための釣りエサの固定具であって、保持針（主釣針６１、釣針１６１、エサ保持針２６３）に取り付けられた錘５５、１５５、２５５に直接又は間接に取り付けられる取付部１３と、保持針（主釣針６１、釣針１６１、エサ保持針２６３）に刺された釣りエサ３０１、３０３、３０５のうち保持針（主釣針６１、釣針１６１、エサ保持針２６３）が貫通している部分である貫通部分Ｙ（図２（ａ）、図３（ａ）、図４（ａ）参照）に、保持針（主釣針６１、釣針１６１、エサ保持針２６３）に対して釣りエサ３０１、３０３、３０５が抜け落ちる方向である脱落方向Ｚに対して貫通部分Ｙの外面から横方向に突き刺さる突き刺し部（ここでは突き刺し棒１５）と、取付部１３と突き刺し部（突き刺し棒１５）とを連結し、取付部１３と突き刺し部（突き刺し棒１５）との脱落方向Ｚに沿った距離が増加することを規制する連結部（連結棒１７）と、を備えてなる、釣りエサの固定具である。
【００３０】
本固定具１１においては、連結部（連結棒１７）が、取付部１３と突き刺し部（突き刺し棒１５）との相対的位置を保った状態において、基端（連結棒１７の一端１７ａ）に取り付けられた取付部１３と先端（連結棒１７の他端１７ｂ）に取り付けられた突き刺し部（突き刺し棒１５）とを連結する連結棒１７を含んでなり、突き刺し部（突き刺し棒１５）が、連結棒１７の先端（連結棒１７の他端１７ｂ）に基端１５ａが取り付けられた突き刺し棒１５を有するものである。
本固定具１１においては、突き刺し棒１５が、突き刺し棒１５の基端１５ａから先端１５ｂまでのいずれかの部分（ここでは先端側部分１５ｃ２）の先端１５ｂ側の位置である先端側位置（ここでは先端１５ｂ）から、連結棒１７の基端（連結棒１７の一端１７ａ）及び先端（連結棒１７の他端１７ｂ）とを結ぶ直線である連結直線Ｌ（図５（ａ）参照）に下ろした垂線の足である先端側足Ｐ１が、該いずれかの部分（先端側部分１５ｃ２）の基端１５ａ側の位置である基端側位置Ｐ２から連結直線Ｌに下ろした垂線の足である基端側足Ｐ３よりも連結棒１７の基端（連結棒１７の一端１７ａ）に近い該いずれかの部分（先端側部分１５ｃ２）である抜留部分を含む。
【００３１】
本固定具１１においては、突き刺し棒１５が、突き刺し棒１５の基端１５ａを含む真っ直ぐな基端側部（ここでは基端側部分１５ｃ１）と、突き刺し棒１５の先端１５ｂを含む真っ直ぐな先端側部（先端側部分１５ｃ２）と、を含んでなり、先端側部（先端側部分１５ｃ２）が抜留部分である。
本固定具１１においては、取付部１３が、錘５５、１５５、２５５が有する環状部分（環状取付部５５ｂ、１５５ａ、２５５ａ）に係合する環状をなす線材又は該環状部分（環状取付部５５ｂ、１５５ａ、２５５ａ）に係合する環状に塑性変形しうる線材により構成されているものである（ここでは該環状部分（環状取付部５５ｂ、１５５ａ、２５５ａ）に係合する環状に塑性変形しうる線材により構成されている。）。
本固定具１１においては、環状部分（環状取付部５５ｂ、１５５ａ、２５５ａ）に係合する環状に塑性変形しうる前記線材（取付部１３を形成する線材）が、環状の一部が分断された形状（図５（ａ）のようにアルファベットの「Ｃ」に似た形状）を有するものである。
本固定具１１においては、取付部１３を形成する前記線材と連結棒１７と突き刺し棒１５とが１の線材により一体に形成されているものである。
本固定具１１は、本固定具１１と保持針（主釣針６１、釣針１６１、エサ保持針２６３）と前記錘５５、１５５、２５５とを含んでなる釣り用仕掛け（例えば、テンヤ仕掛けやカブラ仕掛け）として製造や販売がなされてもよい。
【符号の説明】
【００３２】
１１            本固定具
１２            内部
１３            取付部
１３ａ          一端
１３ｂ          他端
１４            隙間
１５            突き刺し棒
１５ａ          基端
１５ｂ          先端
１５ｃ１        基端側部分
１５ｃ２        先端側部分
１７            連結棒
１７ａ          一端
１７ｂ          他端
５１            釣り糸
５３            スイベル
５５            錘
５５ａ          環状取付部
５５ｂ          環状取付部
５５ｃ          錘本体
６１            主釣針
７１            副釣針連結糸
７３            副釣針
１５１            釣り糸
１５５            錘
１５５ａ          環状取付部
１５５ｃ          錘本体
１６１            釣針
２５１            釣り糸
２５５            錘
２５５ａ          環状取付部
２５５ｂ          環状取付部
２５５ｃ          錘本体
２６３            エサ保持針
２６３ｄ          凸部
２６５            釣針
３０１、３０３、３０５  釣りエサ
【図１】
0003196210.tif 000003
【図２】
0003196210.tif 000004
【図３】
0003196210.tif 000005
【図４】
0003196210.tif 000006
【図５】
0003196210.tif 000007
【図６】
0003196210.tif 000008
【図７】
0003196210.tif 000009